(57)【要約】【課題】コストの増加を抑制しつつ間取りの自由度を確保することができるアルコーブ構造を備えた建物を得る。【解決手段】アルコーブ小梁１４６が天井小梁５４と建物上下方向に対向して配置されており、当該アルコーブ小梁１４６の一端部が床大梁８２の一端部８８Ａと連結されている。また、アルコーブ側壁パネル９８を構成する壁フレーム１０４の上端部が直接又は部材を介して天井小梁５４に固定されると共に、当該壁フレーム１０４の下端部が直接又は部材を介してアルコーブ小梁１４６に固定されている。このため、アルコーブ側壁パネル９８を、躯体フレーム８０に柱を追加することなく当該躯体フレーム８０に対して固定することができる。さらに、アルコーブ側壁パネル９８を構成する壁フレーム１０４は、建物上下方向に延在する縦桟１０６、１０８を含んで構成されているため、当該アルコーブ側壁パネル９８に剛性が付与される。【選択図】図１
2015200139.tif 000002
【特許請求の範囲】
【請求項１】
互いに平行に配置された一対の天井大梁及び当該天井大梁間に架け渡された天井小梁を含んで構成された天井フレームと、当該天井大梁と建物上下方向に対向して配置された床大梁と、を含んで構成された躯体フレームと、
建物上下方向に立設され、上端部が前記天井大梁に固定されると共に下端部が前記床大梁に固定された壁パネルと、
前記天井小梁と前記躯体フレーム上下方向に対向して配置され、一端部が前記床大梁に連結されたアルコーブ小梁と、
建物上下方向に延在する骨格部材を含んで構成されると共に上端部が直接又は部材を介して前記天井小梁に固定されかつ下端部が直接又は部材を介して前記アルコーブ小梁に固定された壁フレームを備え、前記壁パネルと直交して配置されて当該壁パネルと共に前記躯体フレームの内側の空間を居室部とアルコーブ部とに仕切るアルコーブ側壁パネルと、
を有するアルコーブ構造を備えた建物。
【請求項２】
前記アルコーブ側壁パネルは、複数枚隣接して配置され、
当該アルコーブ側壁パネルの上端部は、当該上端部に沿って延在しかつ当該上端部同士に架け渡された上側支持部材が直接又は部材を介して前記天井小梁に取り付けられることにより固定されると共に、
当該アルコーブ側壁パネルの下端部は、当該下端部に沿って延在しかつ当該下端部同士に架け渡された下側支持部材が前記アルコーブ小梁に取り付けられることにより固定された、
請求項１記載のアルコーブ構造を備えた建物。
【請求項３】
前記居室部は、玄関の一部又は全部を構成している、
請求項１又は請求項２記載のアルコーブ構造を備えた建物。
【請求項４】
前記躯体フレームの屋外側に当該躯体フレームと隣接して屋外側躯体フレームが配置され、当該屋外側躯体フレームの内側でかつ前記玄関の屋外側の空間が玄関ポーチの一部とされると共に、前記アルコーブ部と当該屋外側躯体フレームの内側でかつ当該アルコーブ部の屋外側の空間とでインナーガレージが構成された、
請求項３記載のアルコーブ構造を備えた建物。
【発明の詳細な説明】
【技術分野】
【０００１】
本発明は、アルコーブ構造を備えた建物に関する。
【背景技術】
【０００２】
下記特許文献１には、ユニット式建物に関する発明が開示されている。このユニット式建物では、建物の玄関部分を構成する建物ユニットの躯体フレームに複数の間柱が設けられている。このため、これらの間柱に外壁パネルを取り付けることができ、その結果、玄関扉に対して屋内側に奥まった所謂アルコーブ構造のインナーガレージを設けることができる。
【先行技術文献】
【特許文献】
【０００３】
【特許文献１】特開２００４−３１６３１５号公報（図１５）
【発明の概要】
【発明が解決しようとする課題】
【０００４】
しかしながら、上記特許文献１に開示されたユニット式建物では、インナーガレージ（アルコーブ構造）を設けるのに、躯体フレームに間柱を設ける必要があるためコスト高となる。さらに、リフォーム時等に間柱が障害となって間取りの自由度を確保することが困難となる。
【０００５】
本発明は上記事実を考慮し、コストの増加を抑制しつつ間取りの自由度を確保することができるアルコーブ構造を備えた建物を得ることが目的である。
【課題を解決するための手段】
【０００６】
請求項１に記載の発明に係るアルコーブ構造を備えた建物は、互いに平行に配置された一対の天井大梁及び当該天井大梁間に架け渡された天井小梁を含んで構成された天井フレームと、当該天井大梁と建物上下方向に対向して配置された床大梁と、を含んで構成された躯体フレームと、建物上下方向に立設され、上端部が前記天井大梁に固定されると共に下端部が前記床大梁に固定された壁パネルと、前記天井小梁と前記躯体フレーム上下方向に対向して配置され、一端部が前記床大梁に連結されたアルコーブ小梁と、建物上下方向に延在する骨格部材を含んで構成されると共に上端部が直接又は部材を介して前記天井小梁に固定されかつ下端部が直接又は部材を介して前記アルコーブ小梁に固定された壁フレームを備え、前記壁パネルと直交して配置されて当該壁パネルと共に前記躯体フレームの内側の空間を居室部とアルコーブ部とに仕切るアルコーブ側壁パネルと、を有している。
【０００７】
請求項２に記載の発明に係るアルコーブ構造を備えた建物は、請求項１に記載の発明において、前記アルコーブ側壁パネルは、複数枚隣接して配置され、当該アルコーブ側壁パネルの上端部は、当該上端部に沿って延在しかつ当該上端部同士に架け渡された上側支持部材が直接又は部材を介して前記天井小梁に取り付けられることにより固定されると共に、当該アルコーブ側壁パネルの下端部は、当該下端部に沿って延在しかつ当該下端部同士に架け渡された下側支持部材が前記アルコーブ小梁に取り付けられることにより固定されている。
【０００８】
請求項３に記載の発明に係るアルコーブ構造を備えた建物は、請求項１又は請求項２に記載の発明において、前記居室部は、玄関の一部又は全部を構成している。
【０００９】
請求項４に記載の発明に係るアルコーブ構造を備えた建物は、請求項３に記載の発明において、前記躯体フレームの屋外側に当該躯体フレームと隣接して屋外側躯体フレームが配置され、当該屋外側躯体フレームの内側でかつ前記玄関の屋外側の空間が玄関ポーチの一部とされると共に、前記アルコーブ部と当該屋外側躯体フレームの内側でかつ当該アルコーブ部の屋外側の空間とでインナーガレージが構成されている。
【００１０】
請求項１に記載の本発明によれば、互いに平行に配置された一対の天井大梁及び当該天井大梁間に架け渡された天井小梁を含んで構成された天井フレームと、当該天井大梁と建物上下方向に対向して配置された床大梁と、を含んで躯体フレームが構成されている。また、建物上下方向に立設された壁パネルが、当該壁パネルの上端部を天井大梁に固定されると共に当該壁パネルの下端部を床大梁に固定されることにより躯体フレームに対して固定されている。このため、躯体フレームにおける壁パネルが固定された側は、一部が壁パネルによって覆われ、一部が開口された状態となる。
【００１１】
そして、アルコーブ側壁パネルが壁パネルと直交して配置されて当該壁パネルと共に躯体フレームの内側の空間を仕切っている。このため、躯体フレームの内側におけるアルコーブ側壁パネルと壁パネルとによって囲われた空間を居室部とし、当該居室部以外の空間をアルコーブ部とすることができる。
【００１２】
ところで、アルコーブ側壁パネルを固定するのに躯体フレームに柱を追加し、当該柱をアルコーブ側壁パネルの固定に用いる場合、重量物である柱の追加はコスト高の原因となる。また、躯体フレームに柱を追加するとリフォーム時等に柱が障害となって間取りの自由度を確保することが困難となることが考えられる。一方で、アルコーブ側壁パネルを固定するにあたって、アルコーブ側壁パネルに当該アルコーブ側壁パネルにかかる荷重を支持し得る支持剛性を確保する必要がある。
【００１３】
ここで、本発明では、アルコーブ小梁が天井小梁と躯体フレーム上下方向に対向して配置されており、当該アルコーブ小梁の一端部が床大梁の一端部と連結されている。そして、アルコーブ側壁パネルを構成する壁フレームの上端部が直接又は部材を介して天井小梁に固定されると共に、当該壁フレームの下端部が直接又は部材を介してアルコーブ小梁に固定されている。このため、アルコーブ側壁パネルを、躯体フレームに柱を追加することなく当該躯体フレームに対して固定することができる。さらに、アルコーブ側壁パネルを構成する壁フレームは、建物上下方向に延在する骨格部材を含んで構成されているため、当該アルコーブ側壁パネルにかかる荷重を支持することができる。
【００１４】
請求項２に記載の本発明によれば、アルコーブ側壁パネルが複数枚隣接して配置されており、これらのアルコーブ側壁パネルの上端部同士には、当該上端部に沿って延在する上側支持部材が架け渡されている。そして、これらのアルコーブ側壁パネルの上端部は、上側支持部材が、直接又は部材を介して天井小梁に取り付けられることにより固定されている。一方、これらのアルコーブ側壁パネルの下端部同士には、当該下端部に沿って延在する下側支持部材が架け渡されており、これらのアルコーブ側壁パネルの下端部は、下側支持部材がアルコーブ小梁に取り付けられることにより固定されている。このため、複数枚のアルコーブ側壁パネルを、上側支持部材及び下側支持部材によって予めサブアッセンブリ化した状態で組み付けることができる。
【００１５】
請求項３に記載の本発明によれば、居室部は、玄関の一部又は全部を構成している。このため、玄関とアルコーブ部とを隣接させることができる。
【００１６】
請求項４に記載の本発明によれば、躯体フレームの屋外側に当該躯体フレームと隣接して屋外側躯体フレームが配置され、当該屋外側躯体フレームの内側でかつ玄関の屋外側の空間が玄関ポーチの一部とされている。また、アルコーブ部と屋外側躯体フレームの内側でかつ当該アルコーブ部の屋外側の空間とでインナーガレージが構成されている。このため、玄関ポーチとインナーガレージとを壁で仕切ることなく一体的に構成することができる。
【発明の効果】
【００１７】
以上説明したように、請求項１に記載の本発明に係るアルコーブ構造を備えた建物では、コストの増加を抑制しつつ間取りの自由度を確保することができるという優れた効果を有する。
【００１８】
請求項２に記載の本発明に係るアルコーブ構造を備えた建物では、アルコーブ側壁パネルの組付作業の効率化を図ることができるという優れた効果を有する。
【００１９】
請求項３に記載の本発明に係るアルコーブ構造を備えた建物では、玄関に隣接したアルコーブ部を屋外側の収納スペースとして用いることができるという優れた効果を有する。
【００２０】
請求項４に記載の本発明に係るアルコーブ構造を備えた建物では、開放感のある玄関を構成することができるという優れた効果を有する。
【図面の簡単な説明】
【００２１】
【図１】本実施形態に係るアルコーブ側壁パネルの構造を示す分解斜視図である。
【図２】本実施形態に係るアルコーブ側壁パネルとアルコーブ小梁との関係を示す平断面図（図１０の２−２線に沿って切断した状態を示す断面図）である。
【図３】本実施形態に係るアルコーブ側壁パネルの構造を示す拡大断面図（図１０の３−３線に沿って切断した状態を示す断面図）である。
【図４】本実施形態に係るアルコーブ側壁パネルの天井部側の納まりの一例を示す拡大断面図である。
【図５】本実施形態に係るアルコーブ小梁と屋外側の床大梁との納まり示す拡大斜視図（図９の５方向矢視図）である。
【図６】本実施形態に係るアルコーブ小梁における屋内側の端部の納まり示す拡大斜視図（図９の６方向矢視図）である。
【図７】（Ａ）は、本実施形態に係る建物ユニットの輸送時における躯体フレームの斜視図であり、（Ｂ）は、本実施形に係る建物ユニットの輸送時における荷姿の斜視図である。
【図８】本実施形態に係る建物の基礎の構造を示す斜視図である。
【図９】本実施形態に係る建物の躯体フレームの構造を示す斜視図である。
【図１０】本実施形態に係る建物の玄関周辺の構造を示す斜視図である。
【発明を実施するための形態】
【００２２】
以下、図１〜図１０を用いて、本発明に係るアルコーブ構造を備えた建物の一例について説明する。
【００２３】
まず、本実施形態に係る建物１０の全体構造について説明する。図９及び図１０に示されるように、建物１０は、基礎１６上に建物ユニット１２、１４、７８を含む複数個の下階側の建物ユニットを据え付けた後に、当該下階側の建物ユニット上に図示しない複数個の上階側の建物ユニットを据え付けることにより構成されている。そして、後述するように、建物ユニット７８の一部を含んで玄関３６が構成されると共に、当該玄関３６の屋外側に設けられた階段部３８と建物ユニット１２とを含んで玄関ポーチ４０が構成されている。また、建物ユニット１２、７８を含んで玄関３６に隣接するインナーガレージ４２が構成されている（詳しくは後述する）。
【００２４】
図８に示されるように、基礎１６は、一例として、平面視で格子状に形成された内側基礎１８と、当該内側基礎１８を囲むように矩形枠状に形成された外周基礎２２と、玄関３６の屋外側に配置された階段部３８とを含んで一体に構成されている。より具体的には、外周基礎２２は、図示しないフーチング部と、当該フーチング部から垂直に立ち上げられた立上り部２４とを含んで構成されており、当該立上り部２４には、インナーガレージ４２の出入り口となる開口部２６が形成されている。
【００２５】
一方、内側基礎１８も外周基礎２２と同様に、図示しないフーチング部と、当該フーチング部から垂直に立ち上げられた立上り部２０とを含んで構成されている。立上り部２０は、インナーガレージ４２の玄関３６側に配置された壁部２８と、当該インナーガレージ４２の屋内側に配置された壁部３０と、インナーガレージ４２における玄関３６と反対側に配置された壁部３２とを含んで構成されている。換言すれば、立上り部２０の一部によってインナーガレージ４２の外周部が形成されている。なお、外周基礎２２の立上り部２４と、階段部３８と、内側基礎１８の立上り部２０とによって区画された凹部３４に三和土が打設されることにより、玄関土間部４４が構成されている。
【００２６】
次に、図９に戻り、建物ユニット１２、１４のそれぞれの構成、特に建物ユニット１２、１４の骨格を構成する躯体フレーム４６、６８の構成を中心に説明する。建物ユニット１２を構成する屋外側躯体フレームとしての躯体フレーム４６は、天井フレーム４８と、当該天井フレーム４８の隅部に設けられた柱５８と、床大梁６０とを含んで構成されている。天井フレーム４８は、図７にも示されるように、各々溝形鋼によって構成された長短二種類の天井大梁５０、５２が矩形枠状に配置されると共に、長い方の天井大梁５０の間に複数の天井小梁５４が所定の間隔で架け渡されることにより構成されている。なお、これらの天井大梁５０、５２は、その端部が天井フレーム４８の隅部に配置された仕口部材５６に接合されることによって連結されている。なお、図９では、躯体フレーム４６、６８の構成が理解しやすいように天井小梁５４を図示していない。
【００２７】
また、柱５８は、天井フレーム４８の四隅に配置されたそれぞれの仕口部材５６に対して配設されており、その建物上方側の端部が当該仕口部材５６に接合されると共に、建物上下方向に延在している。一方、これらの柱５８の建物下方側の端部には、仕口部材５６が配設されており、当該柱５８に接合されている。そして、柱５８の建物下方側に配置された仕口部材５６が、建物妻方向に延在する床大梁６０によって連結されることにより躯体フレーム４６が構成されている。つまり、躯体フレーム４６は、建物桁方向（躯体フレーム４６の長手方向）に延在する床大梁が配置されない構成とされている。
【００２８】
図１０も参照して説明を続けると、この躯体フレーム４６における階段部３８側の天井大梁５２及び床大梁６０には、階段部３８側に面する袖壁パネル６４と、建物外側に面する図示しない外壁パネルとが配置されており、袖壁６２が構成されている。また、天井フレーム４８には、天井材６６が配置されており、一方、階段部３８と反対側の天井大梁５２及び床大梁６０には、インナーガレージ４２側に面する図示しない外壁パネルが配置されている。このように構成された建物ユニット１２によって、玄関ポーチ４０の庇部分が構成されている。これにより、躯体フレーム４６の内側でかつ玄関３６の屋外側の空間を玄関ポーチ４０の一部として利用することが可能とされると共に、残りの空間をインナーガレージ４２の一部として利用することが可能とされている。
【００２９】
一方、建物ユニット１４の躯体フレーム６８は、基本的に躯体フレーム４６と同様の構成とされているものの、建物桁方向（躯体フレーム６８の長手方向）に延在する床大梁７０、７２を備えている点で異なっている。より詳しくは、床大梁７０は、溝形鋼によって構成されると共に、隣接する建物ユニット７８と反対側の柱５８における建物下方側に配置された仕口部材５６同士を連結している。
【００３０】
また、床大梁７２は、溝形鋼で構成されると共に、一例として、床大梁７０の長さの半分程度の長さに設定されている。この床大梁７２は、その一端部７２Ａが建物ユニット７８側でかつ階段部３８と反対側の柱５８における建物下方側に配置された仕口部材５６に接合されることにより固定されている。換言すれば、床大梁７２は、仕口部材５６に片持ち状態で支持されている。なお、床大梁７２の他端部７２Ｂの納まりについては、後述することとする。
【００３１】
この床大梁７２と当該床大梁７２と建物上下方向（躯体フレーム６８の上下方向）に対向して配置された天井大梁５０とには、窓７６が設けられた外壁パネル７４が配置されており、インナーガレージ４２の屋内側の壁面を構成している。また、外壁パネル７４の幅は、床大梁７２の長さと同程度の長さに設定されているため、建物ユニット１４における階段部３８の屋内側が開放された状態となっている。これにより、建物ユニット１４側に玄関土間部４４を延設し、ひいては建物ユニット１４の内側の空間の一部を玄関３６の一部として利用することが可能とされている。
【００３２】
ここで、本実施形態では、一例として、アルコーブ側外壁９６とアルコーブ小梁１４６とを含んでアルコーブ構造が構成されており、建物ユニット７８に当該アルコーブ構造が適用されている。以下、本発明の要部であるアルコーブ構造の構成の一例について詳細に説明する。
【００３３】
まず、図７を用いて建物ユニット７８の構成について説明する。建物ユニット７８の骨格を構成する躯体フレーム８０は、建物ユニット１２の躯体フレーム４６と同様の構成とされているものの、建物桁方向（躯体フレーム８０の長手方向）に延在する床大梁８２を備えている点で異なっている。床大梁８２は、溝形鋼で構成されると共に、一例として、天井大梁５０の長さの半分程度の長さに設定されている。この床大梁８２は、図９にも示されるように、その一端部８２Ａが屋外側に隣接する建物ユニット１２側でかつ階段部３８側の柱５８における建物下方側に配置された仕口部材５６に接合されることにより固定されている。
【００３４】
また、床大梁８２には、玄関土間部４４と階段部３８とが連続した構成となるように、当該床大梁８２の長手方向の途中部位に梁カット部８４が形成されている。より詳しくは、床大梁８２は、梁カット部８４が形成されたことにより、一端部８２Ａ側の片持梁部８６と、分割梁部８８とに分割されている。そして、壁パネルとしての玄関側壁パネル９０が、その上端部を躯体フレーム８０の天井大梁５０に固定されると共に、その下端部を片持梁部８６及び分割梁部８８に固定されることにより、建物上下方向に立設されて躯体フレーム８０に対して固定されている。換言すれば、分割梁部８８は、玄関側壁パネル９０を介して躯体フレーム８０に対して位置決めされている。なお、玄関側壁パネル９０には、正面視で建物下方側に開口された開口部９２が形成されており、当該開口部９２には、玄関扉９４が設けられている（図１０参照）。そして、玄関側壁パネル９０と直交してアルコーブ側外壁９６が配置されている。
【００３５】
図１〜図３に示されるように、アルコーブ側外壁９６は、アルコーブ側壁パネル９８、アルコーブ側壁パネル１３６、上側支持部材としてのウォールサポートアッパ１１６及び下側支持部材としてのウォールサポートロア１２８を含んで構成されている。
【００３６】
アルコーブ側壁パネル９８は、矩形板状の外壁材１０２と、正面視で矩形枠状に形成された壁フレーム１０４とを含んで構成されており、当該壁フレーム１０４によってアルコーブ側壁パネル９８の骨格が構成されている。この壁フレーム１０４は、建物上下方向に延在する骨格部材としての縦桟１０６、１０８と、当該縦桟１０６、１０８の上端部同士を連結する横桟１１０と、当該縦桟１０６、１０８の下端部同士を連結する横桟１１２とを含んで構成されている。縦桟１０６と縦桟１０８とは、壁フレーム１０４の幅方向の中心線に対して対称な形状とされているので、縦桟１０６の構成のみについて説明する。縦桟１０６は、溝形鋼で構成されると共に、その下端部側でかつ外壁材１０２と反対側に側面視で矩形状の切欠部１０６Ａが形成されている。なお、縦桟１０６における切欠部１０６Ａが形成された部分は、平断面視でＬ字状となっている。
【００３７】
一方、縦桟１０６、１０８の上端部同士を連結する横桟１１０は、壁フレーム１０４の幅方向から見た断面形状が建物上方側が開放されたコ字状とされると共に壁フレーム１０４の幅方向に延在している。換言すれば、横桟１１０は、壁フレーム１０４の上端部を構成している。より詳しくは、横桟１１０は、そのフランジ部１１０Ａに縦桟１０６、１０８の上端部が接合されると共に、その外壁材１０２側に設けられかつ建物上方側に延出された縦壁部１１０Ｂにネイル１１４（取付部材）によって外壁材１０２の上端部が固定されている。
【００３８】
また、縦桟１０６、１０８の下端部同士を連結する横桟１１２は、壁フレーム１０４の幅方向から見た断面形状がＬ字状とされると共に壁フレーム１０４の幅方向に延在している。換言すれば、横桟１１２は、壁フレーム１０４の下端部を構成している。より詳しくは、横桟１１２は、そのフランジ部１１２Ａに縦桟１０６、１０８の下端部が接合されると共に、その外壁材１０２側に設けられかつ建物下方側に延出された縦壁部１１２Ｂにネイル１１４によって外壁材１０２の下端部が固定されている。なお、壁フレーム１０４の幅は、外壁材１０２の幅と同程度の長さに設定されている。
【００３９】
一方、アルコーブ側壁パネル１３６は、アルコーブ側外壁９６における建物ユニット１４と隣接する部分を構成しており、アルコーブ側壁パネル９８と同様の構成とされているものの、外壁材１３８の構成のみがアルコーブ側壁パネル９８と異なっている。具体的には、外壁材１３８は、建物ユニット１４の外壁パネル７４側に延出されており、当該外壁パネル７４の外壁材１４０と定型シール材１４２を介して接合されている。
【００４０】
そして、これらのアルコーブ側壁パネル９８、１３６は、サブアッセンブリ化された状態で躯体フレーム８０に対して固定されている。具体的には、アルコーブ側外壁９６における建物ユニット１２側を構成しかつ隣接して配置された２枚のアルコーブ側壁パネル９８を含んでパネルアッセンブリ１００が構成されている。また、アルコーブ側壁パネル１３６と、当該アルコーブ側壁パネル１３６と隣接して配置されたアルコーブ側壁パネル９８とを含んでパネルアッセンブリ１４４が構成されている。
【００４１】
これらのパネルアッセンブリ１００、１４４は、基本的に同様の構成とされているため、パネルアッセンブリ１００を例にとってパネルアッセンブリ１００、１４４の構成について説明する。パネルアッセンブリ１００は、上記２枚のアルコーブ側壁パネル９８が、ウォールサポートアッパ１１６及びウォールサポートロア１２８によって連結されることによって構成されている。詳しくは、パネルアッセンブリ１００を構成するアルコーブ側壁パネル９８の上端部同士にウォールサポートアッパ１１６が架け渡されることにより、当該アルコーブ側壁パネル９８の上端部同士が連結されている。一方、パネルアッセンブリ１００を構成するアルコーブ側壁パネル９８の下端部同士には、ウォールサポートロア１２８が架け渡されており、アルコーブ側壁パネル９８の下端部同士が連結されている。なお、アッセンブリ１００、１４４は、躯体フレーム８０の短手方向に隣接して配置されており、換言すれば、アルコーブ側壁パネル９８、１３６は、躯体フレーム８０の短手方向に隣接して（連なって）配置されている。
【００４２】
ウォールサポートアッパ１１６は、壁フレーム１０４の幅方向から見た断面形状がＬ字状とされると共に壁フレーム１０４の幅方向に延在しており、その長さが壁フレーム１０４の幅方向の長さの２倍程度とされている。このウォールサポートアッパ１１６は、壁フレーム１０４の横桟１１０に固定される縦壁部１１６Ａと、建物ユニット７８の天井材７９に固定されるフランジ部１１６Ｂとを含んで構成されている。
【００４３】
ウォールサポートアッパ１１６の縦壁部１１６Ａには、壁フレーム１０４の幅方向に沿って所定の間隔でウエルドナット１１８が設けられている。一方、横桟１１０の縦壁部１１０Ｂにおける建物上方側の部分には、ウエルドナット１１８に対応する貫通孔１２０が形成されている。そして、貫通孔１２０の屋外側からボルト１２２が当該貫通孔１２０に挿通されると共にウエルドナット１１８に螺合されることによりウォールサポートアッパ１１６が壁フレーム１０４に固定されている。なお、ウエルドナット１１８は、一例として、１本のウォールサポートアッパ１１６につき４つ設けられている。つまり、貫通孔１２０は、１本の横桟１１０につき２箇所に形成されている。
【００４４】
一方、ウォールサポートアッパ１１６のフランジ部１１６Ｂは、天井材７９におけるバッキング１２４が配置された箇所に面接触状態で当接されると共に、建物下方側からネイル１１４が打ち込まれることによって当該天井材７９に固定されている。なお、天井材７９は、野縁１２６を介して、躯体フレーム８０の天井小梁５４にネイル１１４によって固定されているため、ウォールサポートアッパ１１６は、天井材７９を介して天井小梁５４に取り付けられた状態となっている。
【００４５】
また、図４に示されるように、ウォールサポートアッパ１１６が天井小梁５４の下方側に配置される場合には、フランジ部１１６Ｂの建物下方側から天井小梁５４に向かってネイル１１４を打ち込んでウォールサポートアッパ１１６を固定してもよい。これにより、天井小梁５４、野縁１２６、天井材７９及びウォールサポートアッパ１１６が一体的に固定されると共に、当該ウォールサポートアッパ１１６が天井小梁５４に直接取り付けられた状態となる。なお、バッキング１２４と野縁１２６とは、同じ厚さに設定されている。
【００４６】
図１に戻り、ウォールサポートロア１２８の構成について説明すると、ウォールサポートロア１２８は、ウォールサポートアッパ１１６と同様に、壁フレーム１０４の幅方向から見た断面形状がＬ字状とされると共に壁フレーム１０４の幅方向に延在している。なお、図２にも示されるように、このウォールサポートロア１２８は、その長さが壁フレーム１０４の幅方向の長さの２倍程度とされている。換言すれば、ウォールサポートアッパ１１６とウォールサポートロア１２８とは、同じ長さに設定されている。このウォールサポートロア１２８は、壁フレーム１０４の横桟１１２に固定されるフランジ部１２８Ａと、玄関３６側に設けられると共にアルコーブ側壁パネル９８の厚さ方向に対向する縦壁部１２８Ｂとを含んで構成されている。
【００４７】
ウォールサポートロア１２８のフランジ部１２８Ａには、壁フレーム１０４の幅方向に沿って所定の間隔で貫通孔１３０が形成されている。一方、図３に示されるように、横桟１１２におけるフランジ部１１２Ａには、貫通孔１３０に対応するウエルドナット１３２が設けられている。そして、貫通孔１３０の建物下方側からボルト１３４が当該貫通孔１３０に挿通されると共にウエルドナット１３２に螺合されることによりウォールサポートロア１２８が壁フレーム１０４に固定されている。なお、ウエルドナット１３２は、一例として、１本の横桟１１２につき２つ設けられている。つまり、貫通孔１３０は、１本のウォールサポートロア１２８につき４箇所に形成されている。一方、ウォールサポートロア１２８の縦壁部１２８Ｂは、アルコーブ小梁１４６に固定されている。
【００４８】
アルコーブ小梁１４６は、図１及び図２にも示されるように、溝形鋼で構成された梁部１４８と、壁フレーム１０４の幅方向から見た断面形状がコ字状とされた４つのブラケット１５０とを含んで構成されている。梁部１４８は、壁フレーム１０４の幅方向に延在すると共に、そのウェブ部１４８Ａが玄関３６側とされかつ天井小梁５４と建物上下方向に対向して配置されている。この梁部１４８の長さは、壁フレーム１０４の幅方向の長さの４倍よりも長く、躯体フレーム８０の短手方向の長さよりも短い長さに設定されている。
【００４９】
また、ブラケット１５０は、梁部１４８の長手方向の中心に対して対称となるように間隔をあけて配置されている。より詳しくは、梁部１４８の中心側に配置されたブラケット１５０同士の間隔Ｌ１と、梁部１４８の端部に配置されたブラケット１５０と当該ブラケット１５０と隣り合うブラケット１５０との間隔Ｌ２とが、Ｌ１：Ｌ２＝３：２となるように設定されている。このブラケット１５０は、建物上下方向の長さが梁部１４８のフランジ部１４８Ｂ間に納まるように構成されており、その縦壁部１５０Ａがインナーガレージ４２側とされて、そのフランジ部１５０Ｂの先端部が、梁部１４８のフランジ部１４８Ｂに接合されている。このため、梁部１４８とブラケット１５０とによって矩形枠状の閉断面が形成され、その結果、アルコーブ小梁１４６の剛性が確保される。
【００５０】
さらに、ブラケット１５０の縦壁部１５０Ａの玄関３６側には、ウエルドナット１５２が設けられており、一方、ウォールサポートロア１２８の縦壁部１２８Ｂには、当該ウエルドナット１５２に対応する貫通孔１５４が形成されている。そして、貫通孔１５４の屋外側からボルト１５６が当該貫通孔１５４に挿通されると共にウエルドナット１５２に螺合されることによりウォールサポートロア１２８がアルコーブ小梁１４６に固定されている。なお、上記構成のアルコーブ小梁１４６では、ブラケット１５０がアルコーブ側外壁９６を取り付けるための取付部として機能するため、梁部１４８のウェブ部１４８Ａにおける玄関３６側に面する面を取付面として用いて、化粧材等を取り付けることが可能である。また、アルコーブ側外壁９６をアルコーブ側壁パネル９８又はアルコーブ側壁パネル１３６の何れか１枚で構成可能である場合には、壁フレーム１０４、ウォールサポートアッパ１１６及びウォールサポートロア１２８を一体化してもよい。
【００５１】
図５に示されるように、上述したアルコーブ小梁１４６の一端部１４６Ａは、小梁ブラケット１５８及び補強部材１６０を介して、分割梁部８８のインナーガレージ４２側の一端部８８Ａに連結されている。また、補強部材１６０は、アルコーブ小梁１４６の長手方向から見て、梁部１４８のウェブ部１４８Ａ側が開放されたコ字状に形成されている。これにより、補強部材１６０は、アルコーブ小梁１４６及び小梁ブラケット１５８に取り付けられた状態において、アルコーブ小梁１４６及び小梁ブラケット１５８と閉断面を形成している。そして、分割梁部８８の一端部８８Ａにおける建物下方側には、矩形(正方形）板状のスペーサ１６２が配置されている。これにより、アルコーブ側外壁９６にかかる荷重が、アルコーブ小梁１４６及び分割梁部８８を介して基礎１６に支持される。なお、図６に示されるように、アルコーブ小梁１４６の他端部１４６Ｂにおける建物下方側及び躯体フレーム６８を構成する床大梁７２の他端部７２Ｂにおける建物下方側にもスペーサ１６２が配置されている。つまり、アルコーブ小梁１４６及び床大梁７２は、建物ユニット１４、７８が基礎１６に据え付けられた状態において、その両端部が支持されている。
【００５２】
図２に戻り、躯体フレーム８０に玄関側壁パネル９０及びアルコーブ側外壁９６が取り付けられた状態において、分割梁部８８とアルコーブ小梁１４６との連結部におけるインナーガレージ４２側が開放された状態となっている。このため、分割梁部８８とアルコーブ小梁１４６との連結部を覆い隠すべく、隅部外壁材１６４が配置されている。この隅部外壁材１６４は、平断面視でＬ字状に形成されており、その一端部が定型シール材１４２を介して外壁材１０２に接合されると共に、その他端部が定型シール材１４２を介して玄関側壁パネル９０の外壁材１６６に接合されている。
【００５３】
そして、本実施形態では、玄関側壁パネル９０及びアルコーブ側外壁９６によって、建物ユニット７８が居室部としての玄関部３６Ａと、アルコーブ部としてのガレージ部４２Ａとに仕切られている。つまり、インナーガレージ４２は、玄関側壁パネル９０に対して屋内側に奥まったガレージ部４２Ａを有する所謂アルコーブ構造として構成されている。なお、前述したように玄関部３６Ａは、建物ユニット１４と連通されており、玄関部３６Ａと建物ユニット１４の一部とを含んで玄関３６が構成されている。
【００５４】
＜本実施形態の作用及び効果＞
次に、本実施形態の作用並びに効果を説明する。
【００５５】
本実施形態では、図７に示されるように、天井フレーム４８と、当該天井大梁５０と建物上下方向に対向して配置された床大梁８２と、を含んで躯体フレーム８０が構成されている。より具体的には、天井フレーム４８は、互いに平行に配置された一対の天井大梁５０及び当該天井大梁５０間に架け渡された天井小梁５４を含んで構成されている。また、建物上下方向に立設された玄関側壁パネル９０が、当該玄関側壁パネル９０の上端部を天井大梁５０に固定されると共に当該玄関側壁パネル９０の下端部を床大梁８２に固定されることにより躯体フレーム８０に対して固定されている。このため、躯体フレーム８０における玄関側壁パネル９０が固定された側は、一部が玄関側壁パネル９０によって覆われ、一部が開口された状態となる。
【００５６】
そして、アルコーブ側壁パネル９８が連なって配置されて構成されたアルコーブ側外壁９６が玄関側壁パネル９０と直交して配置されて当該玄関側壁パネル９０と共に躯体フレーム８０の内側の空間を仕切っている。このため、躯体フレーム８０の内側におけるアルコーブ側外壁９６と玄関側壁パネル９０とによって囲われた空間を玄関部３６Ａとし、当該玄関部３６Ａ以外の空間をガレージ部４２Ａとすることができる。
【００５７】
ところで、アルコーブ側壁パネル９８を固定するのに躯体フレーム８０に柱を追加し、当該柱をアルコーブ側壁パネル９８の固定に用いる場合、重量物である柱の追加はコスト高の原因となる。また、躯体フレーム８０に柱を追加するとリフォーム時等に柱が障害となって間取りの自由度を確保することが困難となることが考えられる。一方で、アルコーブ側壁パネル９８を固定するにあたって、アルコーブ側壁パネル９８に当該アルコーブ側壁パネル９８にかかる荷重を支持し得る支持剛性を確保する必要がある。
【００５８】
ここで、本実施形態では、アルコーブ小梁１４６が天井小梁５４と建物上下方向に対向して配置されており、当該アルコーブ小梁１４６の一端部が床大梁８２の一端部８８Ａと連結されている。そして、アルコーブ側壁パネル９８を構成する壁フレーム１０４の上端部が直接又は部材を介して天井小梁５４に固定されると共に、当該壁フレーム１０４の下端部が直接又は部材を介してアルコーブ小梁１４６に固定されている。このため、アルコーブ側壁パネル９８を、躯体フレーム８０に柱を追加することなく当該躯体フレーム８０に対して固定することができる。さらに、アルコーブ側壁パネル９８を構成する壁フレーム１０４は、建物上下方向に延在する縦桟１０６、１０８を含んで構成されているため、当該アルコーブ側壁パネル９８に剛性が付与される。このため、アルコーブ側壁パネル９８は、当該アルコーブ側壁パネル９８にかかる荷重を支持することができる。このように、本実施形態では、コストの増加を抑制しつつ間取りの自由度を確保することができる。
【００５９】
また、本実施形態では、アルコーブ側壁パネル９８が複数枚隣接して配置されており、これらのアルコーブ側壁パネル９８の上端部同士には、当該上端部に沿って延在するウォールサポートアッパ１１６が架け渡されている。そして、これらのアルコーブ側壁パネル９８の上端部は、ウォールサポートアッパ１１６が、直接又は天井材７９を介して天井小梁５４に取り付けられることにより固定されている。一方、これらのアルコーブ側壁パネル９８の下端部同士には、当該下端部に沿って延在するウォールサポートロア１２８が架け渡されている。そして、これらのアルコーブ側壁パネル９８の下端部は、ウォールサポートロア１２８が、アルコーブ小梁１４６に取り付けられることにより固定されている。このため、複数枚のアルコーブ側壁パネル９８を、ウォールサポートアッパ１１６及びウォールサポートロア１２８によって予めサブアッセンブリ化した状態で組み付けることができる。その結果、アルコーブ側壁パネル９８の組付作業の効率化を図ることができる。
【００６０】
さらに、本実施形態では、玄関部３６Ａが玄関３６の一部を構成している。このため、玄関３６とガレージ部４２Ａとを隣接させることができ、その結果、玄関３６に隣接したガレージ部４２Ａを屋外側の収納スペースとして用いることができる。
【００６１】
加えて、本実施形態では、躯体フレーム８０の屋外側に当該躯体フレーム８０と隣接して躯体フレーム４６が配置され、当該躯体フレーム４６の内側でかつ玄関３６の屋外側の空間が玄関ポーチ４０の一部とされている。また、ガレージ部４２Ａと躯体フレーム４６の内側でかつ当該ガレージ部４２Ａの屋外側の空間とでインナーガレージ４２が構成されている。このため、玄関ポーチ４０とインナーガレージ４２とを壁で仕切ることなく一体的に構成することができ、その結果、開放感のある玄関３６を構成することができる。
【００６２】
さらに加えて、本実施形態では、アルコーブ側壁パネル９８の剛性が縦桟１０６、１０８によって確保されている。このため、建物ユニット７８の輸送時において、アルコーブ側壁パネル９８を支持するための仮柱の設置が不要となる。具体的には、建物ユニット７８の輸送時において、図７（Ａ）に示されるように、建物ユニット７８に建築地で取外し可能な仮床梁１７０、１７２、１７４を配置する。そして、図７（Ｂ）に示されるように、天井材７９、玄関側壁パネル９０及びアルコーブ側外壁９６が配置された状態が、建物ユニット７８の荷姿となる。従って、本実施形態では、建物ユニット７８の輸送時の安定性の確保と建築地での作業効率の向上との両立を図ることができる。なお、建物ユニット７８の隅部外壁材１６４は、建築地での作業において取り付けられるので、建物ユニット７８の輸送時において、仮床梁１７２を支障なく配置することができる。
【００６３】
＜上記実施形態の補足説明＞
（１）  上述した実施形態では、床大梁８２が、片持梁部８６と、分割梁部８８とに分割されている構成としたが、玄関３６の構成に応じて適宜構成を変更してもよく、必ずしも分割させる必要はない。また、建物ユニット７８の躯体フレーム８０を、仕口部材５６同士に架け渡されかつ互いに平行に配置された一対の床大梁８２を有する構成としてもよい。
【００６４】
（２）  また、上述した実施形態では、建物ユニット７８にアルコーブ構造を適用してガレージ部４２Ａを構成したが、建物１０の内部を構成する建物ユニットにアルコーブ構造を適用して、床の間等を構成してもよい。
【００６５】
（３）  さらに、上述した実施形態では、建物ユニット７８の玄関部３６Ａと建物ユニット１４の一部とを含んで玄関３６が構成されていたが、玄関部３６Ａのみによって玄関３６を構成してもよい。
【００６６】
（４）  加えて、上述した実施形態では、アルコーブ小梁１４６がブラケット１５０を含んで構成されているが、当該アルコーブ小梁１４６をブラケット１５０を含まない構成としてもよい。具体的には、アルコーブ側外壁９６の構成によっては、梁部１４８のウェブ部１４８Ａを用いてアルコーブ側外壁９６を固定する構成としてもよい。
【００６７】
（５）  さらに加えて、上述した実施形態では、アルコーブ小梁１４６が設けられた建物ユニットを１つ配置する構成としたが、アルコーブ小梁１４６が設けられた建物ユニットを２つ以上配置する構成としてもよい。具体的には、複数の建物ユニット７８を隣接して配置し、それぞれに設けられたアルコーブ小梁１４６を連結する構成としてもよい。また、アルコーブ小梁１４６を複数の建物ユニットに跨る長さに設定してもよい。これにより、インナーガレージ４２の大きさを複数の車種に対応させることができる。
【符号の説明】
【００６８】
１０      建物
３６      玄関
３６Ａ    玄関部（居室部）
４０      玄関ポーチ
４２      インナーガレージ
４２Ａ    ガレージ部（アルコーブ部）
４６      躯体フレーム（屋外側躯体フレーム）
４８      天井フレーム
５０      天井大梁
５４      天井小梁
７９      天井材（部材）
８０      躯体フレーム
８２      床大梁
９０      玄関側壁パネル（壁パネル）
９８      アルコーブ側壁パネル
１０４    壁フレーム
１０６    縦桟（骨格部材）
１０８    縦桟（骨格部材）
１１６    ウォールサポートアッパ（上側支持部材）
１２８    ウォールサポートロア（下側支持部材）
１３６    アルコーブ側壁パネル
１４６    アルコーブ小梁
【図１】
2015200139.tif 000003
【図２】
2015200139.tif 000004
【図３】
2015200139.tif 000005
【図４】
2015200139.tif 000006
【図５】
2015200139.tif 000007
【図６】
2015200139.tif 000008
【図７】
2015200139.tif 000009
【図８】
2015200139.tif 000010
【図９】
2015200139.tif 000011
【図１０】
2015200139.tif 000012